(57)【要約】【課題】補助端子台を簡単かつ強固に取着することができる回路遮断器の補助端子台を提供することにある。【解決手段】補助端子台１５の一対の凹部２６が本体１８の側面に上下方向に延びている。嵌め込み溝２７は一対の凹部２６の内側面に形成されている。係止受け部は嵌め込み溝２７の下端側に形成されている。一対の取付部材３０は嵌め込み溝２７に中間部がはめ込まれ、補助端子台１５の下部に形成した係止受け部に係止する第１係止部を下端に有し、回路遮断器のボディ１に形成した嵌合凹部１２に嵌合する第２係止部３２を上端に有する。抜け止め部３５は本体１８の側面より突出してリード線導出溝１３に入り込みカバー２のリード線導出溝１３に臨む部位に係止する。【選択図】        図１
2006202595.tif 000002
【特許請求の範囲】
【請求項１】
両端面に入出力端子部を有し、前記両端面の対向する方向と直交する方向の両側面の少なくとも一側面の近傍の上面に一対の嵌合凹部を形成し、前記上面に上端開口を形成したリード線導出溝を前記一側面に形成したボディと、このボディの前記上面の前記入出力端子部間を塞ぐとともに前記リード導出溝の前記上端開口を塞ぐカバーとにより構成された回路遮断器に取着される回路遮断器の補助端子台であって、
前記一側面に当接する側面を有し、前記回路遮断器の内部リード線と前記回路遮断器外の外部リード線とを接続する端子部を有し、前記側面に上下方向に延びた一対の凹部を有し、前記一対の凹部の内側面に形成された嵌め込み溝を有し、前記嵌め込み溝の下端側に形成された係止受け部を有する本体と、
前記嵌め込み溝に中間部が嵌め込まれ、前記係止受け部に係止する第１係止部を下端に有し、前記嵌合凹部に嵌合する第２係止部を上端に有する一対の取付部材とを備え、
前記本体は、前記一対の取付部材の前記第２係止部が前記嵌合凹部に嵌合可能な状態で、前記リード線導出溝に入り込み、前記カバーの前記リード線導出溝に臨む部位に係止する抜け止め部を前記側面に突設した回路遮断器の補助端子台。
【請求項２】
前記嵌合凹部および前記リード線導出溝は前記ボディの両側面に形成され、前記リード線導出溝の位置を、前記一対の取付部材の前記第２係止部が前記嵌合凹部に嵌合可能な状態で、前記補助端子台の前記抜け止め部が前記ボディの前記両側面の一方の前記リード線導出溝のみに入り込めるように設定した請求項１記載の回路遮断器の補助端子台。
【発明の詳細な説明】
【技術分野】
【０００１】
本発明は、回路遮断器の内部電線を外部へ接続する際、回路遮断器に取着して用いられる回路遮断器の補助端子台に関する。
【背景技術】
【０００２】
補助接点や欠相検出回路などを内蔵した回路遮断器は、これらに接続された内部電線を外部回路に接続するため、内部電線に接続される端子を備えた補助端子台を回路遮断器の器体の外側面に取着している。
【０００３】
第１の従来例（たとえば特許文献１）は、補助端子台を回路遮断器に一対の帯板状の取付部材により取り付けるものである。しかし、取付部材の上下両端を回路遮断器にねじ取着するものであるため、補助端子台の取着作業が煩わしいという問題があった。
【０００４】
第２の従来例（例えば特許文献２）は、補助端子台の中央に形成された結合板を回路遮断器のボディに形成した保持溝に嵌合させ、さらにボディにカバーを被せて補助端子台を押さえる構造である。しかし、結合板を保持溝にきつく嵌合する構成では嵌合がしにくく、一方嵌合しやすくする構成では組立容易になるが、補助端子台がぐらつき易く、強固に取着できないという問題があった。
【特許文献１】特開平5−274992号
【特許文献２】特開平5−325767号
【発明の開示】
【発明が解決しようとする課題】
【０００５】
本発明は、かかる事由に鑑みて成されたものであり、その目的とするところは、補助端子台を簡単かつ強固に取着することができる回路遮断器の補助端子台を提供することにある。
【課題を解決するための手段】
【０００６】
本発明の回路遮断器の補助端子台は、回路遮断器のボディが両端面に入出力端子部を有し、前記両端面の対向する方向と直交する方向の両側面の少なくとも一側面の近傍の上面に一対の嵌合凹部を形成し、前記上面に上端開口を形成したリード線導出溝を前記一側面に形成している。カバーはボディの前記上面の前記入出力端子部間を塞ぐとともに前記リード導出溝の前記上端開口を塞ぐ。補助端子台の本体は、前記一側面に当接する側面を有し、前記回路遮断器の内部リード線と前記回路遮断器外の外部リード線とを接続する端子部を有し、前記側面に上下方向に延びた一対の凹部を有し、前記一対の凹部の内側面に形成された嵌め込み溝を有し、前記嵌め込み溝の下端側に形成された係止受け部を有する。一対の取付部材は前記嵌め込み溝に中間部が嵌め込まれ、前記係止受け部に係止する第１係止部を下端に有し、前記嵌合凹部に嵌合する第２係止部を上端に有する。前記本体は、前記一対の取付部材の前記第２係止部が前記嵌合凹部に嵌合可能な状態で、前記リード線導出溝に入り込み、前記カバーの前記リード線導出溝に臨む部位に係止する抜け止め部を前記側面に突設している。
【０００７】
上記構成において、前記嵌合凹部および前記リード線導出溝は前記ボディの両側面に形成され、前記リード線導出溝の位置を、前記一対の取付部材の前記第２係止部が前記嵌合凹部に嵌合可能な状態で、前記補助端子台の前記抜け止め部が前記ボディの前記両側面の一方の前記リード線導出溝のみに入り込めるように設定している。
【発明の効果】
【０００８】
本発明の回路遮断器の補助端子台によれば、補助端子台の嵌め込み溝に取付部材を嵌め込み第１係止部を係止受け部に係止するとともに第２係止部を回路遮断器の嵌合凹部に嵌合させると、補助端子台が回路遮断器の側面から離れる方向および回路遮断器より下方に移動することができないとともに、補助端子台が回路遮断器の側面に沿って入出力端子台の対向方向に移動するのを防止することができる。さらにカバーをボディに被せると抜け止め部がカバーの下面に係止するため、補助端子台が回路遮断器の上方に外れるのを防止できる。また取付部材の係止とカバーの取付けにより補助端子台を固定することができるので、組立容易である。従って、補助端子台を回路遮断器に取着し易く、かつ強固に取着できる。
【０００９】
補助端子台を回路遮断器に取着する際、一方側の側面しか取付けることができないようにすれば、補助端子台の取付け間違いを無くすことができる。
【発明を実施するための最良の形態】
【００１０】
本発明の一実施の形態の回路遮断器の補助端子台は、ボディ１と、カバー２を有する回路遮断器に適用される。
【００１１】
ボディ１は、図４に示すように下ボディ１ａとこれに重ねられた上ボディ１ｂからなり、ねじ等の連結具４０により結合されている。ボディ１の両端面５に入出力端子部３、４を設け、入出力端子部３、４の両外側に、両端面５の対向する方向と直交する方向のボディ１の両側面６、７に連なる外壁１０を形成し、さらに外壁１０とともに各極毎に隔離する隔壁１１を入出力端子部３、４に形成している。またボディ１の上面の中央にハンドル８を突出し、上面の一側面６寄りに、回路遮断器の各種動作等に応動する補助接点部９を配設している。
【００１２】
一対の嵌合凹部１２が、ボディ１の両側面６、７の両端面５寄り、すなわち外壁１０の上面に形成されている。嵌合凹部１２は外壁１０に平行な所定長さの溝形状に形成されている。またリード線導出溝１３がボディ１の両側面６、７の入出力端子部３、４間の位置に上下方向に形成され、ボディ１の上面に上端開口１３ａを形成している。補助接点部９からの回路遮断器の内部リード線１４をボディ１の上面より上端開口１３ａを通してリード線導出溝１３に導入しリード線導出溝１３から外方に引き出している。またリード線導出溝１３は後述のように同じ補助端子台１５が両側面６、７の両方に取付けることができず、例えば一側面６のみに取付けることができるように相互の位置が非対称となるように設けられている。図ではリード線導出溝１３がともに両側面６、７の中央より端子部４寄りに設けられている。
【００１３】
カバー２は、ボディ１の上面の入出力端子部３、４間となる中央部を塞ぐ形で取着されるものである。カバー２の中央にハンドル８を挿通するハンドル挿通孔２ａを形成し、カバー２の両端に連結手段として、例えばボディ１に形成されたねじ孔１６に整合するねじ挿通孔を形成し、ねじ１７によりボディ１に取付けられている。またカバー２の側縁部でリード線導出溝１３の上端開口１３ａを塞ぎ、内部リード線１４はカバー２の内側面と上端開口１３ａの隙間を通してリード線導出溝１３に導出される。
【００１４】
補助端子台１５は、本体１８と、本体１８に設けられ回路遮断器の内部リード線１４と回路遮断器外部の外部リード線（図示せず）とを接続する端子部１９と、この端子部１９とボディ１の一側面６との間に介在される絶縁板２０とを有する。本体１８は上面から両端にかけて山形の斜面をなす長方体状に形成され、各斜面が階段状をなすように形成されている。端子部１９は端子ねじを用いた複数の端子からなり、本体１８の各階段部に端子ねじにより取付けられている。絶縁板２０は本体１８の一側面に設けられ、ボディ１の一側面６に当接する。絶縁板２０の中央に形成した切欠き２１を通して、リード線導出溝１３より引き出した内部リード線１４を端子部１９の各接続部２２に接続している。また絶縁板２３が本体１８の他側面に設けられている。
【００１５】
また絶縁板２０の両側のボディ１の両端部に対向する位置に、一対の凹部２６を上下方向に延びるように切欠きにより形成している。嵌め込み溝２７は一対の凹部２６の内側面に互いに反対向きに形成されている。嵌め込み溝２７により、絶縁板２０上に嵌め込み溝２７と平行に上下方向へ延びた一対の係止リブ２９が互いに反対向きに形成される。係止受け部２８は嵌め込み溝２７の下端側に段状に凹み形成されている。
【００１６】
一対の取付部材３０は嵌め込み溝２７に中間部が嵌め込まれ、係止受け部２８に係止する第１係止部３１を下端に有し、嵌合凹部１２に嵌合する第２係止部３２を上端に有する。これらの取付部材３０は金属製の帯板により形成し、第１係止部３１は取付部材３０の下端部を絶縁板２０側に直角に折曲し、第２係止部３２は嵌め込み溝２７の上面側から回路遮断器側、すなわち第１係止部３１と反対向きに折り返し、その先端の嵌合する部分の幅を嵌合凹部１２の幅にほぼ等しく形成している。取付部材３０の中間部には嵌め込み溝２７の側面を形成する係止リブ２９に係止する圧入用突起３３を突設している。また絶縁板２０の凹部２６には嵌め込み溝２７に対向するガイド条３４が嵌め込み溝２７と平行に突設されている。
【００１７】
抜け止め部３５は、本体１８の絶縁板２０の表面で一対の取付部材３０間より突出している。これは抜け止め部３５を有する抜け止め部材３６の孔を通してねじ３７により本体１８の頂部下面にねじ止めしている。絶縁板２０がボディ１の一側面６に当接するとき、抜け止め部３５がリード線導出溝１３に入り込み、カバー２のリード線導出溝１３に臨む部位に係止する。
【００１８】
補助端子台１５を回路遮断器の器体に取付けるには、補助端子台１５の嵌め込み溝２７に取付部材３０の中間部を圧入し、第１係止部３１を絶縁板２０の下端の係止受け部２８に係止する。そして抜け止め部３５をリード線導出溝１３に嵌めながら第２係止部３２を回路遮断器の嵌合凹部１２に嵌合する。つぎにカバー２をボディ１に取付け、抜け止め部３５が上方に移動するのを規制する。この結果、簡単に組み立てることができるとともに、補助端子台１５は回路遮断器の器体の一側面６から離れる方向、ならびに一側面６に沿った上下方向および入出力端子部３、４の対向方向に移動することができずに強固に固定されることとなる。    
【００１９】
なお、上記したように、ボディ１の両側面６、７のリード線導出溝１３は非対称位置に形成されており、抜け止め部３５は一側面６のリード線導出溝１３にのみ入り込むことが可能となるようになっている。したがって、図７に示すように、たとえ補助接点部９が側面７側に取付けられても、補助端子台１５をボディ１の側面７に取付けようとすると、抜け止め部３５がリード線導出溝１３に入り込まずに側面７の表面に当接し第２係止部３２が嵌合凹部１２に嵌合することができず、補助端子台１５を側面７には取付けることができない。
【００２０】
また本発明において、補助端子台１５の入出力端子部３、４の対向方向への移動を防止するためには、嵌め込み溝２７を互いに反対向きに形成するほか、第１の係止部３１が係止する係止受け部２８を凹み形成することにより達成することができる。
【図面の簡単な説明】
【００２１】
【図１】本発明の一実施の形態のカバーを外した状態で補助端子台を取付ける前の平面図である。
【図２】補助端子台を器体に取付けカバーを取付けた状態の平面図ある。
【図３】補助端子台の取付部分の部分断面図である。
【図４】補助端子台の取付部分の部分側面図である。
【図５】補助端子台の斜視図である。
【図６】補助端子台の分解斜視図である。
【図７】補助端子台を誤って器体の反対側に取付けようとした場合の説明図である。
【符号の説明】
【００２２】
１    ボディ  
２    カバー
３、４  入出力端子部    
５    両端面
６、７  両側面
１２    嵌合凹部
１３    リード線挿通溝
１３ａ  上端開口
１４    内部リード線
１５    補助端子台
１８    本体
１９    端子部
２６    凹部
２７    嵌め込み溝
２８    係止受け部
２９    係止リブ
３０    取付部材
３１    第１係止部
３２    第２係止部    
３５    抜け止め部
【図１】
2006202595.tif 000003
【図２】
2006202595.tif 000004
【図３】
2006202595.tif 000005
【図４】
2006202595.tif 000006
【図５】
2006202595.tif 000007
【図６】
2006202595.tif 000008
【図７】
2006202595.tif 000009